(57)【特許請求の範囲】
【請求項１】
モバイル通信端末であって、前記モバイル通信端末は、ＵＳＢ  ＯＴＧコントローラと、ＭＨＬアダプタチップと、切替スイッチチップと、多重化インタフェースとを有し、前記多重化インタフェースは、Ｍｉｃｒｏ  ＵＳＢインタフェースであり、前記ＵＳＢ  ＯＴＧコントローラ及び前記ＭＨＬアダプタチップは、前記切替スイッチチップに別々に接続され、前記切替スイッチチップは、前記多重化インタフェースに接続され、前記多重化インタフェースと前記切替スイッチチップとの間には変圧器が配置され、前記ＭＨＬアダプタチップは、ＣＢＵＳ＿ＩＤピンを使用することによって前記多重化インタフェースのＩＤピンから第１の電圧を検出するとともに、前記第１の電圧を予め設定された電圧値と比較し、前記第１の電圧が０よりも高く、且つ前記予め設定された電圧値よりも低いか又は等しい場合、前記ＭＨＬアダプタチップは、前記切替スイッチチップを使用することによって前記ＭＨＬアダプタチップが前記多重化インタフェースに接続されるように、前記切替スイッチチップを制御し、前記第１の電圧が０と等しいか、又は前記予め設定された電圧値よりも高い場合、前記ＭＨＬアダプタチップは、ＵＳＢ＿ＩＤピンから前記ＵＳＢ  ＯＴＧコントローラのＵＳＢ＿ＯＴＧ＿ＩＤピンに前記第１の電圧を供給するとともに、前記切替スイッチチップを使用することによって前記ＵＳＢ  ＯＴＧコントローラが前記多重化インタフェースに接続されるように、前記切替スイッチチップを制御する、モバイル通信端末。
【請求項２】
前記ＵＳＢ  ＯＴＧコントローラは、ＵＳＢ  ＯＴＧ信号を送信するように構成されるとともに、前記ＵＳＢ  ＯＴＧコントローラは、ＵＳＢ＿ＯＴＧ＿ＤＰピンとＵＳＢ＿ＯＴＧ＿ＤＮピンとを有し、
前記ＭＨＬアダプタチップは、パラレルＲＧＢ信号をシリアルＭＨＬビデオ信号に変換するとともに、前記ＭＨＬアダプタチップは、ＭＨＬ＿ＤＢピンと、ＭＨＬ＿Ｄピンと、ＣＢＵＳ＿ＩＤピンと、Ｃ１２ＣＡピンとを有し
前記切替スイッチチップは、ＵＳＢ＋ピンと、ＵＳＢ−ピンと、ＭＤＶ＋ピンと、ＭＤＶ−ピンと、Ｄ＋ピンと、Ｄ−ピンと、ＳＥＬ１ピンとを有し、
前記多重化インタフェースは、ＶＢＵＳピンと、Ｄ＋ピンと、Ｄ−ピンと、ＩＤピンと、ＧＮＤピンとを有し、
前記ＵＳＢ＋ピンは前記ＵＳＢ＿ＯＴＧ＿ＤＰピンに接続され、前記ＵＳＢ−ピンは前記ＵＳＢ＿ＯＴＧ＿ＤＮピンに接続され、前記ＭＤＶ＋ピンは前記ＭＨＬ＿ＤＢピンに接続され、前記ＭＤＶ−ピンは前記ＭＨＬ＿Ｄピンに接続され、前記ＳＥＬ１ピンは前記Ｃ１２ＣＡピンに接続され、前記ＭＨＬアダプタチップは、前記ＳＥＬ１ピン及び前記Ｃ１２ＣＡピンを使用することによって前記切替スイッチチップを制御し、前記切替スイッチチップの前記Ｄ＋ピンは、前記多重化インタフェースの前記Ｄ＋ピンに接続され、前記切替スイッチチップの前記Ｄ−ピンは、前記多重化インタフェースの前記Ｄ−ピンに接続され、前記ＩＤピンは、前記ＣＢＵＳ＿ＩＤピンに接続される、
請求項１に記載のモバイル通信端末。
【請求項３】
前記第１の電圧が０よりも高く、且つ前記予め設定された電圧値よりも低いか又は等しい場合、前記ＭＨＬアダプタチップの前記ＭＨＬ＿ＤＢピン及び前記ＭＨＬ＿Ｄピンは、前記切替スイッチチップを使用することによって前記多重化インタフェースの前記Ｄ＋ピン及び前記Ｄ−ピンにそれぞれ接続されるとともに、前記第１の電圧が０と等しいか、又は前記予め設定された電圧値よりも高い場合、前記ＵＳＢ  ＯＴＧコントローラの前記ＵＳＢ＿ＯＴＧ＿ＤＰピン及び前記ＵＳＢ＿ＯＴＧ＿ＤＮピンは、前記切替スイッチチップを使用することによって前記多重化インタフェースの前記Ｄ＋ピン及び前記Ｄ−ピンにそれぞれ接続される、
請求項２に記載のモバイル通信端末。
【請求項４】
インタフェース共有方法であって、前記インタフェース共有方法は、
モバイル通信端末に適用され、前記モバイル通信端末は、ＵＳＢ  ＯＴＧコントローラと、ＭＨＬアダプタチップと、切替スイッチチップと、多重化インタフェースとを有し、前記多重化インタフェースは、Ｍｉｃｒｏ  ＵＳＢインタフェースであり、前記ＵＳＢ  ＯＴＧコントローラ及び前記ＭＨＬアダプタチップは、前記切替スイッチチップに別々に接続され、前記切替スイッチチップは、前記多重化インタフェースに接続され、前記多重化インタフェースと前記切替スイッチチップとの間には変圧器が配置されるとともに、前記インタフェース共有方法は、前記ＭＨＬアダプタチップによって実行され、
ＣＢＵＳ＿ＩＤピンを使用することによって前記多重化インタフェースのＩＤピンから第１の電圧を検出するステップと、
前記第１の電圧を予め設定された電圧値と比較するステップと、
前記第１の電圧が０よりも高く、且つ前記予め設定された電圧値よりも低いか又は等しい場合、前記切替スイッチチップを使用することによって前記ＭＨＬアダプタチップが前記多重化インタフェースに接続されるように、前記切替スイッチチップを制御するステップと、
前記第１の電圧が０と等しいか、又は前記予め設定された電圧値よりも高い場合、ＵＳＢ＿ＩＤピンから前記ＵＳＢ  ＯＴＧコントローラのＵＳＢ＿ＯＴＧ＿ＩＤピンに前記第１の電圧を供給するとともに、前記切替スイッチチップを使用することによって前記ＵＳＢ  ＯＴＧコントローラが前記多重化インタフェースに接続されるように、前記切替スイッチチップを制御するステップと
を有する、方法。
【発明の詳細な説明】
【技術分野】
【０００１】
本発明は、インタフェース共有の分野に関するとともに、特に、インタフェース共有装置及び方法、ならびにモバイル通信端末に関する。
【背景技術】
【０００２】
現在、タブレットコンピュータのような、モバイル通信端末が、人々の日常生活においてより普及している。ユーザの異なる要求を満たすとともにできるだけ多くの機能を実施するために、電力供給又は充電インタフェースや、ＵＳＢインタフェースや、高精細信号を出力するためのＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ：高精細マルチメディアインタフェース）インタフェースのような、様々な異なる機能のインタフェースがモバイル通信端末のハードウェア上で共存する。
【０００３】
図１を参照すると、図１は従来技術におけるモバイル通信端末の概略構成図である。図１に示されるように、従来技術におけるモバイル通信端末１０は、中央処理部１１と、ＨＤＭＩアダプタチップ１２と、ＨＤＭＩインタフェース１３と、電源管理部１４と、ＵＳＢインタフェース１５と、電源インタフェース１６とを有し、ＨＤＭＩアダプタチップ１２は、ビデオデータストリーム及び音声データストリームを中央処理部１１から取得するために、中央処理部１１に接続されるとともに、ビデオデータストリーム及び音声データストリームをＨＤＭＩデータストリームに変換し、ＨＤＭＩアダプタチップ１２は、ＨＤＭＩインタフェース１３を使用することによってＨＤＭＩデータストリームを出力する。電源管理部１４は、中央処理部１１に接続されるとともに、ＵＳＢインタフェース１５を使用することによってモバイル通信端末１０のために充電又はデータ送信を行い、電源管理部１４はさらに、電源インタフェース１６を使用することによって電源に接続されてもよい。従って、従来技術におけるモバイル通信端末１０は、異なる機能を実施するための異なるインタフェースに合う接続ケーブルを必要とし、ユーザに多大な不便をもたらす。さらに、従来技術におけるモバイル通信端末１０のＨＤＭＩインタフェース１３と、ＵＳＢインタフェース１５と、電源インタフェース１６は、モバイル通信端末１０のサイズを増大させ、それによってモバイル通信端末１０のコストを増加させる。
【発明の概要】
【課題を解決するための手段】
【０００４】
本発明は、インタフェース共有装置及び方法、ならびにモバイル通信端末を提供するとともに、コストを削減するために、１つの多重化インタフェースを使用することによって、複数の機能を実施する。
【０００５】
前述の技術的問題を解決するために、本発明において採用される技術的解決手段は、インタフェース共有装置が提供されることであって、前記インタフェース共有装置は、制御部と、ビデオ処理部と、スイッチ部と、検出制御部と、多重化インタフェースとを有する。制御部及びビデオ処理部は、スイッチ部に別々に接続される。スイッチ部は、多重化インタフェースに接続される。検出制御部は、多重化インタフェースから第１の電圧を検出するとともに、第１の電圧を予め設定された電圧値と比較するように構成される。第１の電圧が０よりも高く、且つ予め設定された電圧値よりも低いか又は等しい場合、検出制御部は、スイッチ部を使用することによってビデオ処理部が多重化インタフェースに接続されるように、スイッチ部を制御する。第１の電圧が０と等しいか、又は予め設定された電圧値よりも高い場合、検出制御部は、スイッチ部を使用することによって制御部が多重化インタフェースに接続されるように、スイッチ部を制御する。
【０００６】
前述の技術的問題を解決するために、本発明において採用される他の技術的解決手段は、モバイル通信端末が提供されることであって、前記モバイル通信端末は、ＵＳＢ  ＯＴＧコントローラと、モバイル高精細リンク（Ｍｏｂｉｌｅ  Ｈｉｇｈ−Ｄｅｆｉｎｉｔｉｏｎ  Ｌｉｎｋ：ＭＨＬ）アダプタチップと、切替スイッチチップと、多重化インタフェースとを有する。ＵＳＢ  ＯＴＧコントローラ及びＭＨＬアダプタチップは、切替スイッチチップに別々に接続される。切替スイッチチップは、多重化インタフェースに接続される。ＭＨＬアダプタチップは、多重化インタフェースから第１の電圧を検出するとともに、第１の電圧を予め設定された電圧値と比較する。第１の電圧が０よりも高く、且つ予め設定された電圧値よりも低いか又は等しい場合、ＭＨＬアダプタチップは、切替スイッチチップを使用することによってＭＨＬアダプタチップが多重化インタフェースに接続されるように、切替スイッチチップを制御する。第１の電圧が０と等しいか、又は予め設定された電圧値よりも高い場合、ＭＨＬは、切替スイッチチップを使用することによってＵＳＢ  ＯＴＧコントローラが多重化インタフェースに接続されるように、切替スイッチチップを制御する。
【０００７】
前述の技術的問題を解決するために、本発明において採用される他の技術的構成は、インタフェース共有方法が提供されることであって、前記インタフェース共有方法は、インタフェース共有装置に適用される。前記装置は、制御部と、ビデオ処理部と、スイッチ部と、多重化インタフェースとを有し、制御部及びビデオ処理部は、スイッチ部に別々に接続されるとともに、スイッチ部は、多重化インタフェースに接続される。前記方法は、多重化インタフェースの第１の電圧を検出するステップと、第１の電圧を予め設定された電圧値と比較するステップと、第１の電圧が０よりも高く、且つ予め設定された電圧値よりも低いか又は等しい場合、スイッチ部を使用することによってビデオ処理部が多重化インタフェースに接続されるように、スイッチ部を制御するステップと、第１の電圧が０と等しいか、又は予め設定された電圧値よりも高い場合、スイッチ部を使用することによって制御部が多重化インタフェースに接続されるように、スイッチ部を制御するステップとを有する。
【０００８】
本発明の有益な効果は、本発明において、１つの多重化インタフェースを使用することによって複数の機能が実施され、それによってインタフェースの量を低減し、コストを削減し、ユーザの操作及び使用を容易にし、ユーザエクスペリエンスを改善することである。
【図面の簡単な説明】
【０００９】
本発明の実施形態における技術的解決手段をより明確に説明するために、以下では、実施形態を説明するために必要とされる添付図面を簡潔に紹介する。明らかに、以下の説明における添付図面は、単に本発明のいくつかの実施形態を示すものであるとともに、当業者は創造的努力なしにこれらの添付図面から他の図面をさらに導き出すことができる。
【００１０】
【図１】図１は、従来技術におけるモバイル通信端末の概略構成図である。
【図２】図２は、本発明の第１の実施形態に係るインタフェース共有装置の概略構成図である。
【図３】図３は、本発明の第２の実施形態に係るモバイル通信端末の概略構成図である。
【図４】図４は、図３におけるＵＳＢ  ＯＴＧコントローラの概略構成図である。
【図５】図５は、図３において示されるＭＨＬアダプタチップ及び切替スイッチチップの概略構成図である。
【図６】図６は、図３における多重化インタフェースの概略構成図である。
【図７】図７は、本発明の第１の実施形態に係るインタフェース共有方法のフローチャートである。
【発明を実施するための形態】
【００１１】
以下では、本発明の実施形態における添付図面を参照して、本発明の実施形態における技術的解決手段を明確に、且つ十分に説明する。明らかに、説明される実施形態は、本発明の実施形態の全てではなく単に一部である。創造的努力なしに本発明の実施形態に基づいて当業者によって得られる全ての他の実施形態は、本発明の保護範囲内に包含されるものとする。
【００１２】
図２を参照すると、図２は、本発明の第1の実施形態に係るインタフェース共有装置の概略構成図である。図２に示されるように、本実施形態において開示される装置２０は、ＭＨＬとＵＳＢとの間のインタフェース共有を実施することができるとともに、前記装置２０は、制御部２１と、ビデオ処理部２２と、スイッチ部２３と、検出制御部２４と、多重化インタフェース２５とを有する。
【００１３】
本実施形態では、制御部２１及びビデオ処理部２２は、任意で、スイッチ部２３を使用することによって多重化インタフェース２５に接続されるとともに、検出制御部２４は、スイッチ部２３及び多重化インタフェース２５に別々に接続される。予め設定された電圧値は、検出制御部２４のために構成されるとともに、検出制御部２４は、多重化インタフェース２５から第１の電圧を取得する。
【００１４】
本実施形態では、検出制御部２４は、第１の電圧を予め設定された電圧値と比較して、比較結果に基づいてスイッチ部２３を制御する。第１の電圧が０よりも高く、且つ予め設定された電圧値よりも低いか又は等しい場合、検出制御部２４は、スイッチ部２３を使用することによってビデオ処理部２２が多重化インタフェース２５に接続されるように、スイッチ部２３を制御する。第１の電圧が０と等しいか、又は予め設定された電圧値よりも高い場合、検出制御部２４は、スイッチ部２３を使用することによって制御部２１が多重化インタフェース２５に接続されるように、スイッチ部２３を制御する。
【００１５】
本実施形態では、ビデオ処理部２２は、好ましくはＭＨＬアダプタチップであって、ビデオ処理部２２は、パラレルＲＧＢ信号をシリアルＭＨＬビデオ信号に変換することができる。
【００１６】
本実施形態では、制御部２１は、好ましくはＵＳＢ  ＯＴＧ（ＵＳＢ  Ｏｎ  Ｔｈｅ  Ｇｏ、ｍｏｂｉｌｅ  ＵＳＢ）コントローラであって、制御部２１は、ＵＳＢ  ＯＴＧ信号を送信するように構成される。
【００１７】
本実施形態では、多重化インタフェース２５は、好ましくはＭｉｃｒｏ  ＵＳＢインタフェースである。
【００１８】
従来技術における条件とは異なり、本実施形態において開示される装置２０は、１つの多重化インタフェース２５を使用することによって複数の機能を実施し、それによってインタフェースの量を低減し、コストを削減し、ユーザエクスペリエンスを改善する。
【００１９】
図３を参照すると、図3は、本発明の第2の実施形態に係るモバイル通信端末の概略ブロック図である。図３に示されるように、本実施形態において開示されるモバイル通信端末３０は、ＵＳＢ  ＯＴＧコントローラ３１と、ＭＨＬアダプタチップ３２と、切替スイッチチップ３３と、多重化インタフェース３４とを有する。
【００２０】
本実施形態では、ＵＳＢ  ＯＴＧコントローラ３１及びＭＨＬアダプタチップ３２は、任意で、切替スイッチチップ３３を使用することによって多重化インタフェース３４に接続されるとともに、ＭＨＬアダプタチップはさらに、切替スイッチチップ３３及び多重化インタフェース３４に別々に接続される。予め設定された電圧値は、ＭＨＬアダプタチップ３２のために構成される。
【００２１】
本実施形態では、ＭＨＬアダプタチップ３２は、多重化インタフェース３４から第１の電圧を検出するとともに、第１の電圧を予め設定された電圧値と比較する。第１の電圧が０よりも高く、且つ予め設定された電圧値よりも低いか又は等しい場合、ＭＨＬアダプタチップ３２は、切替スイッチチップ３３を使用することによってＭＨＬアダプタチップ３２が多重化インタフェース３４に接続されるように、切替スイッチチップ３３を制御する。第１の電圧が０と等しいか、又は予め設定された電圧値よりも高い場合、ＭＨＬアダプタチップ３２は、切替スイッチチップ３３を使用することによってＵＳＢ  ＯＴＧコントローラ３１が多重化インタフェース３４に接続されるように、切替スイッチチップ３３を制御する。
【００２２】
従来技術における条件とは異なり、本実施形態において開示されるモバイル通信端末３０は、多重化インタフェース３４が、任意で、ＵＳＢ  ＯＴＧコントローラ３１又はＭＨＬアダプタチップ３２に接続されるように、ＭＨＬアダプタチップ３２を使用することによって切替スイッチチップ３３を制御する。従って、ＭＨＬ及びＵＳＢの機能は、１つの多重化インタフェース３４を使用することによって実施され、それによってインタフェースの量を低減し、モバイル通信端末３０のコストを削減し、ユーザエクスペリエンスを改善する。
【００２３】
本発明はさらに、第３の実施形態に係るモバイル通信端末を提供し、前記モバイル通信端末は、前述の第２の実施形態に基づいて詳細に説明される。
【００２４】
図４に示されるように、ＵＳＢ  ＯＴＧコントローラ３１は、ＵＳＢ  ＯＴＧ信号を送信するように構成され、ＵＳＢ  ＯＴＧコントローラ３１は、ＵＳＢ＿ＯＴＧ＿ＤＰピンと、ＵＳＢ＿ＯＴＧ＿ＤＮピンと、ＵＳＢ＿ＯＴＧ＿ＩＤピンとを有する。
【００２５】
図５に示されるように、ＭＨＬアダプタチップ３２は、パラレルＲＧＢ信号をシリアルＭＨＬビデオ信号に変換し、ＭＨＬアダプタチップ３２は、ＭＨＬ＿ＤＢピンと、ＭＨＬ＿Ｄピンと、ＣＢＵＳ＿ＩＤピンと、Ｃ１２ＣＡピンと、ＵＳＢ＿ＩＤピンとを有し、ＵＳＢ＿ＩＤピンはＵＳＢ＿ＯＴＧ＿ＩＤピンに接続される。
切替スイッチチップ３３は、ＵＳＢ＋ピンと、ＵＳＢ−ピンと、ＭＤＶ＋ピンと、ＭＤＶ−ピンと、Ｄ＋ピンと、Ｄ−ピンと、ＳＥＬ１ピンとを有し、ＵＳＢ＋ピンはＵＳＢ＿ＯＴＧ＿ＤＰピンに接続され、ＵＳＢ−ピンはＵＳＢ＿ＯＴＧ＿ＤＮピンに接続され、ＭＤＶ＋ピンはＭＨＬ＿ＤＢピンに接続され、ＭＤＶ−ピンはＭＨＬ＿Ｄピンに接続され、ＳＥＬ１ピンはＣ１２ＣＡピンに接続される。
【００２６】
図６に示されるように、多重化インタフェース３４は、ＶＢＵＳピンと、Ｄ−ピンと、Ｄ＋ピンと、ＩＤピンと、ＧＮＤピン１−７とを有し、ＧＮＤピン１−７は接地されるとともに、多重化インタフェース３４のＩＤピンは、ＭＨＬアダプタチップ３２のＣＢＵＳ＿ＩＤピンに接続される。変圧器Ｔ１は、多重化インタフェース３４と切替スイッチチップ３３との間に配置され、変圧器Ｔ１の第１端子及び第４端子は、同じ側の端子であって、変圧器Ｔ１の第１端子は切替スイッチチップ３３のＤ−ピンに接続され、変圧器Ｔ１の第２端子は、多重化インタフェース３４のＤ−ピンに接続され、変圧器Ｔ１の第３端子は、多重化インタフェース３４のＤ＋ピンに接続され、変圧器Ｔ１の第４端子は、切替スイッチチップ３３のＤ＋ピンに接続される。ＶＢＵＳピンは、定電圧放電管Ｄ１の負極とインダクタＬ１との間に接続され、定電圧放電管Ｄ１の正極は定電圧放電管Ｄ２の正極に接続され、定電圧放電管Ｄ２の負極は接地され、インダクタＬ１の他の端子は、キャパシタＣ１の１つの端子に接続され、キャパシタＣ１の他の端子は接地される。
【００２７】
以下では、多重化インタフェース３４を使用することによって複数の機能を実施する本実施形態におけるモバイル通信端末のための動作原理を詳細に説明する。
【００２８】
前記ＭＨＬアダプタチップ３２は、ＣＢＵＳ＿ＩＤピンを使用することによって多重化インタフェース３４のＩＤピンから第１の電圧を検出して、第１の電圧を予め設定された電圧値と比較する。
【００２９】
前記ＭＨＬアダプタチップ３２が、第１の電圧が０よりも高く、且つ予め設定された電圧値よりも低いか又は等しいと判断した場合、ＭＨＬアダプタチップ３２は、切替スイッチチップ３３のＭＤＶ＋ピンがＤ＋ピンに接続するように制御するとともにＭＤＶ−ピンがＤ−ピンに接続するように制御するために、Ｃ１２ＣＡピンを使用することによって、切替スイッチチップ３３のＳＥＬ１ピンに制御信号を出力する。この場合、ＭＨＬアダプタチップ３２のＭＨＬ＿ＤＢピンは、切替スイッチチップ３３を使用することによって多重化インタフェース３４のＤ＋ピンに接続されるとともに、ＭＨＬアダプタチップ３２のＭＨＬ＿Ｄピンは、切替スイッチチップ３３を使用することによって多重化インタフェース３４のＤ−ピンに接続される。
【００３０】
前記ＭＨＬアダプタチップ３２が、第１の電圧が０と等しいか、又は予め設定された電圧値よりも高いと判断した場合、ＭＨＬアダプタチップ３２は、切替スイッチチップ３３のＵＳＢ＋ピンがＤ＋ピンに接続するように制御するとともにＵＳＢ−ピンがＤ−ピンに接続するように制御するために、Ｃ１２ＣＡピンを使用することによって、切替スイッチチップ３３のＳＥＬ１ピンに制御信号を出力する。この場合、ＭＨＬアダプタチップ３１のＵＳＢ＿ＯＴＧ＿ＤＰピンは、切替スイッチチップ３３を使用することによって多重化インタフェース３４のＤ＋ピンに接続されるとともに、ＭＨＬアダプタチップ３１のＵＳＢ＿ＯＴＧ＿ＤＮピンは、切替スイッチチップ３３を使用することによって多重化インタフェース３４のＤ−ピンに接続される。
【００３１】
本実施形態では、ＭＨＬアダプタチップ３２が、第１の電圧が０と等しいか、又は予め設定された電圧値よりも高いと判断した場合、ＵＳＢ  ＯＴＧコントローラ３１は、ＵＳＢ＿ＯＴＧ＿ＩＤピンを使用することによって、ＭＨＬアダプタチップ３２のＵＳＢ＿ＩＤピンから第１の電圧を取得するとともに、第１の電圧がハイレベルであるかどうかを判断する。
【００３２】
前記ＵＳＢ  ＯＴＧコントローラ３１が、第１の電圧がハイレベルであると判断した場合、ＵＳＢ  ＯＴＧコントローラ３１は、多重化インタフェース３４を使用することによって、データを送信する。
【００３３】
前記ＵＳＢ  ＯＴＧコントローラ３１が、第１の電圧がローレベルであると判断した場合、ＵＳＢ  ＯＴＧコントローラ３１は、多重化インタフェース３４を使用することによって、データを読み込む。
【００３４】
本実施形態において、キャパシタＣ１の容量値が、好ましくは２．２ｕＦであることは留意されるべきである。
【００３５】
従来技術における条件とは異なり、本実施形態において開示されるモバイル通信端末３０は、ＭＨＬアダプタチップ３２を使用することによって切替スイッチチップ３３を制御し、その結果、多重化インタフェース３４は、任意で、ＵＳＢ  ＯＴＧコントローラ３１又はＭＨＬアダプタチップ３２に接続される。従って、ＭＨＬ及びＵＳＢの機能は、１つの多重化インタフェース３４を使用することによって実施され、それによってインタフェースの量を低減し、モバイル通信端末３０のコストを削減し、ユーザエクスペリエンスを改善する。
【００３６】
本発明におけるインタフェース共有方法を参照して、以下ではさらに、本発明の実施形態に係るインタフェース共有装置２０が、多重化インタフェース２５を使用することによってＭＨＬ及びＵＳＢの機能を実施することを詳細に説明する。
【００３７】
図７を参照すると、図７は、本発明の第１の実施形態に係るインタフェース共有方法のフローチャートである。本実施形態において開示される方法は、本発明の第１の実施形態において開示される装置２０に適用される。図７に示されるように、本発明の本実施形態において開示されるインタフェース共有方法は、以下のステップを有する。
【００３８】
ステップ７０１：多重化インタフェース２５の第１の電圧を検出する。
【００３９】
ステップ７０２：第１の電圧を予め設定された電圧値と比較する。
【００４０】
ステップ７０３：第１の電圧が０よりも高く、且つ予め設定された電圧値よりも低いか又は等しい場合、スイッチ部２３を使用することによってビデオ処理部２２が多重化インタフェース２５に接続されるように、スイッチ部２３を制御する。
【００４１】
ステップ７０４：第１の電圧が０と等しいか、又は予め設定された電圧値よりも高い場合、スイッチ部２３を使用することによって制御部２１が多重化インタフェース２５に接続されるように、スイッチ部２３を制御する。
【００４２】
本実施形態では、検出制御部２４は多重化インタフェース２５の第１の電圧を検出して、検出制御部２４は、第１の電圧を予め設定された電圧値と比較する。第１の電圧が０よりも高く、且つ予め設定された電圧値よりも低いか又は等しい場合、検出制御部２４は、ビデオ処理部２２が多重化インタフェース２５に接続されるように、スイッチ部２３を制御する。第１の電圧が０と等しいか、又は予め設定された電圧値よりも高い場合、検出制御部２４は、制御部２１が多重化インタフェース２５に接続されるように、スイッチ部２３を制御する。
【００４３】
本実施形態では、ビデオ処理部２２は、好ましくはＭＨＬアダプタチップであって、ビデオ処理部２２は、パラレルＲＧＢ信号をシリアルＭＨＬビデオ信号に変換することができる。
【００４４】
本実施形態では、制御部２１は、好ましくはＵＳＢ  ＯＴＧコントローラであって、制御部２１は、ＵＳＢ  ＯＴＧ信号を送信するように構成される。
【００４５】
本実施形態では、多重化インタフェース２５は、好ましくはＭｉｃｒｏ  ＵＳＢインタフェースである。
【００４６】
従来技術における条件とは異なり、本発明は、１つの多重化インタフェースを使用することによって複数の機能を実施し、それによってインタフェースの量を低減し、コストを削減し、ユーザの操作及び使用を容易にし、ユーザエクスペリエンスを改善する。
【００４７】
実施方法の前述の説明に基づいて、当業者は、本発明が、必要な汎用ハードウェアプラットフォームに加えてソフトウェアによって、又はハードウェアのみによって実施されてもよいことを明らかに理解することができる。ほとんどの場合では、前者が好ましい実施方法である。そのような理解に基づいて、本発明又は従来技術に貢献する部分の技術的解決手段は、本質的に、ソフトウェア製品の形態において実施されてもよい。ソフトウェア製品は、コンピュータのフロッピー（登録商標）ディスクや、ハードディスクや、光ディスクのような、可読記憶媒体内に格納されるとともに、本発明の実施形態において説明される方法を実行するためにコンピュータデバイス（パーソナルコンピュータ、サーバ又はネットワークデバイスであってもよい）に命令をするためのいくつかの命令を有する。
【００４８】
前述の説明は、単に本発明の実施形態であるとともに、本発明の保護範囲はこれに限定されない。本発明において、又は他の関連技術分野において直接又は間接的に本発明を適用することによって、本明細書の内容及び添付図面に基づいて行われる、全ての同等の構成又はプロセスの変更は、本発明の保護範囲内に包含されるものとする。
【符号の説明】
【００４９】
１１  中央処理部
１２  ＨＤＭＩアダプタチップ
１３  ＨＤＭＩインタフェース
１４  電源管理部
１５  ＵＳＢインタフェース
１６  電源インタフェース
２１  制御部
２２  ビデオ処理部
２３  スイッチ部
２４  検出制御部
２５  多重化インタフェース
３１  ＵＳＢ  ＯＴＧコントローラ
３２  ＭＨＬアダプタチップ
３３  切替スイッチチップ
３４  多重化インタフェース
【図１】
0005924449.tif 000002
【図２】
0005924449.tif 000003
【図３】
0005924449.tif 000004
【図４】
0005924449.tif 000005
【図５】
0005924449.tif 000006
【図６】
0005924449.tif 000007
【図７】
0005924449.tif 000008